(57)【要約】【課題】ユーザが引掛シーリングボディへ容易に取り付けることができる照明器具用アダプタを提供する。【解決手段】照明器具用アダプタ１００は、引掛シーリングボディ２００と照明器具３００の器具本体３１０とを接続するための照明器具用アダプタである。照明器具用アダプタ１００は、引掛シーリングボディ２００に対向する対向面を有する筐体１１０と、対向面に設けられた、給電用の第一端子１２１及び第二端子１２２、並びに、接地用の第三端子１２３とを備える。照明器具用アダプタ１００は、第一端子１２１、第二端子１２２、及び、第三端子１２３のそれぞれが引掛シーリングボディ２００に設けられた直線状に延伸するスリットに挿通された状態で、筐体１１０がスリットの延伸方向にスライドされることにより引掛シーリングボディ２００に取り付けられる。【選択図】図６
2020087662.tif 000002
【特許請求の範囲】
【請求項１】
引掛シーリングボディと照明器具の器具本体とを接続するための照明器具用アダプタであって、
前記引掛シーリングボディに対向する対向面を有する筐体と、
前記対向面に設けられた、給電用の第一端子及び第二端子、並びに、接地用の第三端子とを備え、
前記照明器具用アダプタは、前記第一端子、前記第二端子、及び、前記第三端子のそれぞれが前記引掛シーリングボディに設けられた直線状に延伸するスリットに挿通された状態で、前記筐体が前記スリットの延伸方向にスライドされることにより前記引掛シーリングボディに取り付けられる
照明器具用アダプタ。
【請求項２】
前記第一端子、前記第二端子、及び、前記第三端子は、直線上に並んで配置される
請求項１に記載の照明器具用アダプタ。
【請求項３】
前記第三端子は、前記第一端子、及び、前記第二端子の間に位置する
請求項２に記載の照明器具用アダプタ。
【請求項４】
前記第一端子及び前記第二端子は、前記引掛シーリングボディ側の端部がＬ字状に折れ曲がっている
請求項１〜３のいずれか１項に記載の照明器具用アダプタ。
【請求項５】
前記第三端子は、前記引掛シーリングボディ側の端部がＬ字状に折れ曲がっている
請求項４に記載の照明器具用アダプタ。
【請求項６】
請求項１〜５のいずれか１項に記載の照明器具用アダプタと、
前記器具本体とを備える
照明器具。
【請求項７】
照明器具の器具本体を接続するための照明器具用アダプタが取り付けられる引掛シーリングボディであって、
前記照明器具用アダプタは、前記照明器具用アダプタが備える、給電用の第一端子及び第二端子、及び、接地用の第三端子のそれぞれが前記引掛シーリングボディに設けられた直線状に延伸するスリットに挿通された状態で、前記スリットの延伸方向にスライドされることにより前記引掛シーリングボディに取り付けられ、
前記第一端子、前記第二端子、及び、前記第三端子のそれぞれは、前記スライドにより前記スリットの一方の端部から他方の端部まで到達し、
前記引掛シーリングボディは、
前記第一端子、前記第二端子、及び、前記第三端子に対応する３つの前記スリットが設けられた本体部と、
前記本体部内に設けられた、前記第一端子が電気的に接続される第一接続端子と、
前記本体部内に設けられた、前記第二端子が電気的に接続される第二接続端子と、
前記本体部内に設けられた、前記第三端子が電気的に接続される第三接続端子とを備え、
平面視において、前記第三接続端子に対応する前記スリットの一方の端部から前記第三接続端子までの距離は、前記第一接続端子に対応する前記スリットの一方の端部から前記第一接続端子までの距離、及び、前記第二接続端子に対応する前記スリットの一方の端部から前記第二接続端子までの距離のいずれよりも短い
引掛シーリングボディ。
【発明の詳細な説明】
【技術分野】
【０００１】
本発明は、天井に設けられた引掛シーリングボディに照明器具を接続するための照明器具用アダプタ、及び、これを備える照明器具などに関する。
【背景技術】
【０００２】
従来、天井に設けられた引掛シーリングボディに照明器具を電気的及び機械的に接続するための照明器具用アダプタが知られている（例えば、特許文献１参照）。
【先行技術文献】
【特許文献】
【０００３】
【特許文献１】特開２０１１−１５４８８９号公報
【発明の概要】
【発明が解決しようとする課題】
【０００４】
本発明は、ユーザが引掛シーリングボディへ容易に取り付けることができる照明器具用アダプタ、これを備える照明器具、及び、ユーザが照明器具用アダプタを容易に取り付けることができる引掛シーリングボディを提供する。
【課題を解決するための手段】
【０００５】
本発明の一態様に係る照明器具用アダプタは、引掛シーリングボディと照明器具の器具本体とを接続するための照明器具用アダプタであって、前記引掛シーリングボディに対向する対向面を有する筐体と、前記対向面に設けられた、給電用の第一端子及び第二端子、並びに、接地用の第三端子とを備え、前記照明器具用アダプタは、前記第一端子、前記第二端子、及び、前記第三端子のそれぞれが前記引掛シーリングボディに設けられた直線状に延伸するスリットに挿通された状態で、前記筐体が前記スリットの延伸方向にスライドされることにより前記引掛シーリングボディに取り付けられる。
【０００６】
本発明の一態様に係る照明器具は、前記照明器具用アダプタと、前記器具本体とを備える。
【０００７】
本発明の一態様に係る引掛シーリングボディは、照明器具の器具本体を接続するための照明器具用アダプタが取り付けられる引掛シーリングボディであって、前記照明器具用アダプタは、前記照明器具用アダプタが備える、給電用の第一端子及び第二端子、及び、接地用の第三端子のそれぞれが前記引掛シーリングボディに設けられた直線状に延伸するスリットに挿通された状態で、前記スリットの延伸方向にスライドされることにより前記引掛シーリングボディに取り付けられ、前記第一端子、前記第二端子、及び、前記第三端子のそれぞれは、前記スライドにより前記スリットの一方の端部から他方の端部まで到達し、前記引掛シーリングボディは、前記第一端子、前記第二端子、及び、前記第三端子に対応する３つの前記スリットが設けられた本体部と、前記本体部内に設けられた、前記第一端子が電気的に接続される第一接続端子と、前記本体部内に設けられた、前記第二端子が電気的に接続される第二接続端子と、前記本体部内に設けられた、前記第三端子が電気的に接続される第三接続端子とを備え、平面視において、前記第三接続端子に対応する前記スリットの一方の端部から前記第三接続端子までの距離は、前記第一接続端子に対応する前記スリットの一方の端部から前記第一接続端子までの距離、及び、前記第二接続端子に対応する前記スリットの一方の端部から前記第二接続端子までの距離のいずれよりも短い。
【発明の効果】
【０００８】
本発明によれば、ユーザが引掛シーリングボディへ容易に取り付けることができる照明器具用アダプタ、これを備える照明器具、及び、ユーザが照明器具用アダプタを容易に取り付けることができる引掛シーリングボディが実現される。
【図面の簡単な説明】
【０００９】
【図１】図１は、実施の形態に係る照明器具の分解斜視図である。
【図２】図２は、実施の形態に係る照明器具用アダプタを下方から見た外観斜視図である。
【図３】図３は、実施の形態に係る照明器具用アダプタを上方から見た外観斜視図である。
【図４】図４は、実施の形態に係る照明器具用アダプタを上方から見た分解斜視図である。
【図５】図５は、実施の形態に係る照明器具用アダプタを下方から見た分解斜視図である。
【図６】図６は、実施の形態に係る引掛シーリングボディの内部構造を説明するための図である。
【図７】図７は、第一端子、第二端子、及び、第三端子の配置の別の例を示す平面図である。
【図８】図８は、第一端子、第二端子、及び、第三端子の配置のさらに別の例を示す平面図である。
【図９】図９は、変形例に係る照明器具用アダプタを上方から見た外観斜視図である。
【発明を実施するための形態】
【００１０】
以下、実施の形態について、図面を参照しながら説明する。以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１１】
また、各図は模式図であり、必ずしも厳密に図示されたものではない。また、各図において、実質的に同一の構成に対しては同一の符号を付し、重複する説明は省略または簡略化される場合がある。また、下記の実施の形態において、「ほぼ」または「略」の表現には、製造誤差や寸法公差等を含むという意味もある。
【００１２】
また、以下の実施の形態で説明に用いられる図面においては座標軸が示される場合がある。Ｚ軸方向は、照明器具の高さ方向として説明される。Ｚ軸＋側は、上側（上方）と表現され、Ｚ軸−側は、下側（下方）と表現される場合がある。また、Ｘ軸方向及びＹ軸方向は、Ｚ軸方向に垂直な平面上において、互いに直交する方向である。以下の実施の形態において、平面視とは、Ｚ軸方向から見ることを意味する。
【００１３】
（実施の形態）
［照明器具の構造］
以下、実施の形態に係る照明器具について説明する。図１は、実施の形態に係る照明器具の分解斜視図である。図２は、図１の領域ＩＩの拡大図であって、実施の形態に係る照明器具用アダプタを下方から見た外観斜視図である。図３は、実施の形態に係る照明器具用アダプタを上方から見た外観斜視図である。また、図１〜図３には、天井などの構造物に設けられる引掛シーリングボディ２００も図示されている。
【００１４】
図１〜図３に示されるように、照明器具３００は、照明器具用アダプタ１００と、器具本体３１０と、光源ユニット３２０ａ及び３２０ｂと、コネクタ３３０と、蓋３４０と、グローブ３５０とを備える。器具本体３１０には、取り付け孔３６０が設けられている。
【００１５】
器具本体３１０には、光源ユニット３２０ａ及び光源ユニット３２０ｂと、光源ユニット３２０ａ及び光源ユニット３２０ｂに電気的に接続されたコネクタ３３０とが設けられている。また、器具本体３１０の中央部分には、円形の取り付け孔３６０が設けられている。
【００１６】
光源ユニット３２０ａ及び光源ユニット３２０ｂは、それぞれが内部に複数のＬＥＤを有する光源であり、例えば、グローブ３５０（下方）に向けて光を発する。
【００１７】
コネクタ３３０は、照明器具用アダプタ１００に接続されるコネクタである。コネクタ３３０が照明器具用アダプタ１００に接続されることにより、照明器具用アダプタ１００と、器具本体３１０とは電気的に接続される。
【００１８】
グローブ３５０は、透光性を有する光学部材であり、グローブ３５０の平面視形状は、角丸矩形状である。グローブ３５０は、器具本体３１０の下面を覆うように器具本体３１０に取り付けられる。グローブ３５０の平面視形状は、円形であってもよい。
【００１９】
照明器具用アダプタ１００は、引掛シーリングボディ２００と照明器具３００の器具本体３１０とを接続するためのアダプタである。照明器具用アダプタ１００は、筐体１１０を備え、筐体１１０の第一面１１１ａからは、断面Ｌ字状の、第一端子１２１及び第二端子１２２が突出している。第一端子１２１が第一スリット２１１に挿通され、かつ、第二端子１２２が第二スリット２１２に挿通された状態で照明器具用アダプタ１００が引掛シーリングボディ２００に対して取り付け方向（Ｘ軸＋側へ向かう方向）にスライドされることで、照明器具用アダプタ１００は、引掛シーリングボディ２００に取り付けられる。言い換えれば、照明器具用アダプタ１００は、引掛シーリングボディ２００に機械的及び電気的に接続される。
【００２０】
また、筐体１１０の側壁からは第一係止部材１３１及び第二係止部材１３２が突出しており、第一係止部材１３１及び第二係止部材１３２は、筐体１１０に収容されたねじりばね１７０（図１〜図３で図示せず。後述の図４及び図５で図示。）により、筐体１１０の内側から外側に向かって付勢されている。
【００２１】
ユーザは、取り付け孔３６０に照明器具用アダプタ１００の筐体１１０が挿入されるように器具本体３１０を押し上げる。このとき、取り付け孔３６０の内周面と、第一係止部材１３１及び第二係止部材１３２の端部の傾斜面とが当接し、第一係止部材１３１及び第二係止部材１３２が、ねじりばね１７０の付勢力に抗して筐体１１０の内側に向けて押し込まれる。
【００２２】
第一係止部材１３１及び第二係止部材１３２が取り付け孔３６０を通過すると、取り付け孔３６０の内周面と、第一係止部材１３１及び第二係止部材１３２の端部の傾斜面との当接が解消される。この結果、第一係止部材１３１及び第二係止部材１３２が、筐体１１０内のねじりばね１７０により与えられる付勢力によって筐体１１０の外側に突出する。そうすると、器具本体３１０の取り付け孔３６０の周縁部分が、第一係止部材１３１及び第二係止部材１３２に係止する。
【００２３】
その後、ユーザは、照明器具用アダプタ１００の筐体１１０の下面側に設けられたコネクタ挿入口１５０にコネクタ３３０を接続し、取り付け孔３６０を下面側から覆う蓋３４０と、グローブ３５０とを装着する。これにより、引掛シーリングボディ２００への照明器具３００の機械的及び電気的な取り付けが完了する。
【００２４】
また、照明器具３００の取り外し方法は、以下の通りである。ユーザは、まず、グローブ３５０と、蓋３４０とを外し、その後、コネクタ挿入口１５０からコネクタ３３０を取り外す。
【００２５】
次に、ユーザは、第一レバー１６１及び第二レバー１６２を、それぞれ筐体１１０の中央部分から外側に向けて引く。そうすると、第一係止部材１３１及び第二係止部材１３２は、筐体１１０の内側に移動する。これにより、ユーザは、器具本体３１０を照明器具用アダプタ１００から取り外すことができる。
【００２６】
また、ユーザは、照明器具用アダプタ１００を引掛シーリングボディ２００に対して取り外し方向（Ｘ軸−側へ向かう方向）に向けてスライドさせれば、照明器具用アダプタ１００を引掛シーリングボディ２００から取り外すことができる。
【００２７】
［照明器具用アダプタの構造］
次に、照明器具用アダプタ１００の構造について、図１〜図３に加えて図４及び図５を参照しながら説明する。図４は、照明器具用アダプタ１００を上方から見た分解斜視図である。図５は、照明器具用アダプタ１００を下方から見た分解斜視図である。なお、図４及び図５では、部材同士を固定するねじについては、図示が省略される。
【００２８】
照明器具用アダプタ１００は、筐体１１０と、第一端子１２１と、第二端子１２２と、第三端子１２３と、第一係止部材１３１と、第二係止部材１３２と、第一レバー１６１と、第二レバー１６２と、ねじりばね１７０とを備える。
【００２９】
筐体１１０は、照明器具用アダプタ１００が備える各構成要素を収容する略扁平円筒状の部材である。筐体１１０は、引掛シーリングボディ２００に対向する第一面１１１ａ、及び、第一面１１１ａと反対側の第二面１１２ａを有する。筐体１１０は、具体的には、第一面１１１ａ側の本体部１１１と、第二面１１２ａ側のカバー１１２とを有する。
【００３０】
本体部１１１は、第二面１１２ａ側が開口した略有底円筒状（扁平状）の部材である。本体部１１１は、例えば、絶縁性を有する樹脂材料により形成され、カバー１１２とともに照明器具用アダプタ１００の筐体１１０を構成する。
【００３１】
本体部１１１の引掛シーリングボディ２００に対向する部分には、Ｙ軸方向に沿って並ぶ３つの端子挿通孔が設けられる。３つの端子挿通孔からは、第一端子１２１の上部１２１ａ、第二端子１２２の上部１２２ａ、及び、第三端子１２３の上部１２３ａが突出する。つまり、第一端子１２１の上部１２１ａ、第二端子１２２の上部１２２ａ、及び、第三端子１２３の上部１２３ａは、Ｙ軸方向に沿う直線上（つまり、Ｙ軸方向に平行な直線上）に並んで配置される。なお、図４では、第一端子１２１の上部１２１ａ、及び、第一端子１２１の下部１２１ｂが分離して図示されているが、これらは実際には一体的に形成される。第二端子１２２及び第三端子１２３についても同様である。
【００３２】
本体部１１１の側壁部には、第一開口１１１ｃ１及び第二開口１１１ｃ２が設けられる。第一開口１１１ｃ１からは、第一係止部材１３１が本体部１１１の外側に向けて突出している。第二開口１１１ｃ２からは、第二係止部材１３２が本体部１１１の外側に向けて突出している。
【００３３】
本体部１１１の内側には、コネクタ挿入口１５０が設けられている。コネクタ挿入口１５０は、本体部１１１のうち引掛シーリングボディ２００に対向する部分の内面から、第二面１１２ａ側に向けて筒状に延出した部分である。コネクタ挿入口１５０は、カバー１１２の中央に設けられた開口１１２ｂを通じて筐体１１０から外部に露出し、器具本体３１０のコネクタ３３０が抜き挿し自在に接続される。コネクタ挿入口１５０の平面視形状は、略Ｔ状であり、コネクタ３３０もこれに対応した形状となる。コネクタ挿入口１５０は、筐体１１０の第二面１１２ａ側に設けられた凹部の一例である。
【００３４】
カバー１１２は、本体部１１１の下面側を覆う金属製で板状の部材である。カバー１１２は、筐体１１０の第二面１１２ａを構成する。つまり、筐体１１０の第二面１１２ａ側の少なくとも一部は、金属によって形成される。カバー１１２の中央には、開口１１２ｂが設けられる。当該開口１１２ｂからは、コネクタ挿入口１５０並びに第一レバー１６１の第一被操作部１６１ａ及び第二レバー１６２の第二被操作部１６２ａが外部に露出する。
【００３５】
第一端子１２１、第二端子１２２、及び、第三端子１２３は、金属製の板状の部材である。第一端子１２１、第二端子１２２、及び、第三端子１２３は、本体部１１１の内側にねじによって固定される。第一端子１２１の上部１２１ａは、筐体１１０に設けられた端子挿通孔から突出する。第一端子１２１の下部１２１ｂは、コネクタ挿入口１５０内に配置される。同様に、第二端子１２２の上部１２２ａは、筐体１１０に設けられた端子挿通孔から突出する。第二端子１２２の下部１２２ｂは、コネクタ挿入口１５０内に配置される。第三端子１２３の上部１２３ａは、筐体１１０に設けられた端子挿通孔から突出し、第三端子１２３の下部１２３ｂは、コネクタ挿入口１５０内に配置される。
【００３６】
第一端子１２１及び第二端子１２２は、照明器具３００が引掛シーリングボディ２００から電力供給を受けるための一対の給電用の端子である。第一端子１２１の上部１２１ａが第一スリット２１１に挿通され、かつ、第二端子１２２の上部１２２ａが第二スリット２１２に挿通されることにより、第一端子１２１及び第二端子１２２は、引掛シーリングボディ２００内の一対の給電用の接続端子（後述の第一接続端子２２１、及び、第二接続端子２２２）に電気的に接続される。照明器具３００は、例えば、引掛シーリングボディ２００から交流電力の供給を受けるが、直流電力の供給を受けてもよい。
【００３７】
また、第一端子１２１の上部１２１ａ、及び、第二端子１２２の上部１２２ａのそれぞれは、Ｌ字状に折れ曲がっている。第一端子１２１の上部１２１ａが第一スリット２１１に挿通され、かつ、第二端子１２２の上部１２２ａが第二スリット２１２に挿通された状態で照明器具用アダプタ１００が取り付け方向にスライドされると、照明器具用アダプタ１００が引掛シーリングボディ２００に引っ掛かる。つまり、第一端子１２１及び第二端子１２２は、照明器具用アダプタ１００の引掛シーリングボディ２００への機械的な接続にも用いられる。
【００３８】
第三端子１２３は、照明器具用アダプタ１００の安全性を高めるための接地用の端子である。第三端子１２３の上部１２３ａが第三スリット２１３に挿通されることにより、第三端子１２３は、引掛シーリングボディ２００内の接地用の接続端子（後述の第三接続端子２２３）に電気的に接続される。
【００３９】
第三端子１２３の上部１２３ａは、折れ曲がっておらず、第三端子１２３は、照明器具用アダプタ１００の機械的な接続に用いられない。しかしながら、第三端子１２３の上部１２３ａは折れ曲がっており、第三端子１２３は、照明器具用アダプタ１００の機械的な接続に用いられてもよい。
【００４０】
第一端子１２１の下部１２１ｂ、第二端子１２２の下部１２２ｂ、及び、第三端子１２３の下部１２３ｂは、コネクタ３３０がコネクタ挿入口１５０に接続された状態において、コネクタ３３０内の金属端子と接続される。
【００４１】
第一係止部材１３１及び第二係止部材１３２は、照明器具用アダプタ１００が器具本体３１０を保持するための樹脂製の部材である。言い換えれば、第一係止部材１３１及び第二係止部材１３２は、器具本体３１０を照明器具用アダプタ１００に係止させるための部材であり、器具本体３１０は、第一係止部材１３１及び第二係止部材１３２に係止する。
【００４２】
第一係止部材１３１は、ねじりばね１７０によって筐体１１０の内側から外部に向けて付勢されており、第一開口１１１ｃ１から筐体１１０の外側に向けて突出している。第二係止部材１３２は、ねじりばね１７０によって筐体１１０の内側から外部に向けて付勢されており、第二開口１１１ｃ２から筐体１１０の外側に向けて突出している。
【００４３】
ねじりばね１７０は、第一係止部材１３１及び第二係止部材１３２を筐体１１０の外側に向けて付勢する金属製の弾性部材である。ねじりばね１７０は、第一係止部材１３１を筐体１１０の側壁に設けられた第一開口１１１ｃ１から筐体１１０の外側に向けて突出させる。また、ねじりばね１７０は、第二係止部材１３２を筐体１１０の側壁に設けられた第二開口１１１ｃ２から筐体１１０の外側に向けて突出させる。
【００４４】
ねじりばね１７０は、具体的には、第一係止部材１３１に接続される第一アーム部１７１と、第二係止部材１３２に接続される第二アーム部１７２と、第一アーム部１７１及び第二アーム部１７２を接続する巻回部１７３とを有する。つまり、ねじりばね１７０は、巻回部１７３を介して接続される第一アーム部１７１及び第二アーム部１７２を含む。
【００４５】
巻回部１７３は、ねじりばね１７０の元の線状の金属部材が螺旋状に巻回された部分である。巻回部１７３には、筐体１１０の内部に設けられた突起１１３が挿通される。突起１１３は、円柱状であり、言い換えればボスである。突起１１３にはカバー１１２を本体部１１１に固定するためのねじが挿入されるねじ穴が設けられている。
【００４６】
第一係止部材１３１は、第一レバー１６１が操作されることにより、Ｙ軸方向に沿って移動する。第二係止部材１３２は、第二レバー１６２が操作されることにより、Ｙ軸方向に沿って移動する。
【００４７】
第一レバー１６１及び第二レバー１６２は、器具本体３１０を照明器具用アダプタ１００から取り外すために操作される樹脂製の部材である。
【００４８】
第一レバー１６１は、第一係止部材１３１と連結され、第一係止部材１３１をＹ軸方向に沿って移動させるための部材である。第一レバー１６１は、第一被操作部１６１ａ及び第一連結部１６１ｂを有する。
【００４９】
第一被操作部１６１ａは、第一係止部材１３１を筐体１１０の内側に向けて動かすためにユーザによって操作される。第一被操作部１６１ａは、カバー１１２に設けられた開口１１２ｂから筐体１１０の外側に突出する。開口１１２ｂは、筐体１１０の第二面１１２ａ側に設けられた開口の一例である。
【００５０】
第一連結部１６１ｂは、第一被操作部１６１ａ及び第一係止部材１３１を連結する。第一連結部１６１ｂは、第一係止部材１３１の凹部１３１ａに配置され、これにより第一レバー１６１と第一係止部材１３１とは係合する。つまり、第一被操作部１６１ａ及び第一係止部材１３１が連結される。第一被操作部１６１ａが筐体１１０の中央部分から外側に向けて引っ張られることで第一係止部材１３１は、ねじりばね１７０の弾性力に抗して筐体１１０の内側に移動する。
【００５１】
第二レバー１６２は、第二係止部材１３２をＹ軸方向に沿って移動させるための部材である。第二レバー１６２は、第二被操作部１６２ａ及び第二連結部１６２ｂを有する。
【００５２】
第二被操作部１６２ａは、第二係止部材１３２を筐体１１０の内側に向けて動かすためにユーザによって操作される。第二被操作部１６２ａは、カバー１１２に設けられた開口１１２ｂから筐体１１０の外側に突出する。開口１１２ｂは、筐体１１０の第二面１１２ａ側に設けられた開口の一例である。
【００５３】
第二連結部１６２ｂは、第二被操作部１６２ａ及び第二係止部材１３２を連結する。第二連結部１６２ｂは、第二係止部材１３２の凹部１３２ａに配置され、これにより第二レバー１６２と第二係止部材１３２とは係合する。つまり、第二被操作部１６２ａ及び第二係止部材１３２が連結される。第二被操作部１６２ａが筐体１１０の中央部分から筐体１１０の外側に向けて引っ張られることで第二係止部材１３２は、ねじりばね１７０の弾性力に抗して筐体１１０の内側に移動する。
【００５４】
このように、ユーザは、第一被操作部１６１ａ及び第二被操作部１６２ａのそれぞれを筐体１１０の中央部分から外側に向けて引くことで、第一係止部材１３１及び第二係止部材１３２を筐体１１０内に移動させ、器具本体３１０を照明器具用アダプタ１００から取り外すことができる。
【００５５】
［引掛シーリングボディの構造］
次に、引掛シーリングボディ２００の構造について上記図１〜図３と、図６を参照しながら説明する。図６は、引掛シーリングボディ２００の内部構造を説明するための図である。図６の（ａ）は、引掛シーリングボディ２００の内部を上方から見た図であり、図６の（ｂ）は、引掛シーリングボディ２００の断面図である。なお、図６の（ｂ）では、照明器具用アダプタ１００も図示されている。
【００５６】
引掛シーリングボディ２００は、本体部２１０と、本体部２１０内に収容された第一接続端子２２１、第二接続端子２２２、及び、第三接続端子２２３とを備える。
【００５７】
本体部２１０は、上部が開口した略有底円筒状の部材である。本体部２１０は、例えば、絶縁性を有する樹脂材料により形成される。本体部２１０の照明器具用アダプタ１００と対向する部分には、第一スリット２１１、第二スリット２１２、及び、第三スリット２１３が設けられる。
【００５８】
第一スリット２１１、第二スリット２１２、及び、第三スリット２１３のそれぞれは、Ｘ軸方向に延伸する長尺状の貫通孔であり、Ｘ軸方向と交差するＹ軸方向に並んで配置される。つまり、第一スリット２１１、第二スリット２１２、及び、第三スリット２１３の延伸方向（言い換えれば、長手方向）は、Ｘ軸方向である。第一スリット２１１には、第一端子１２１が挿通され、第二スリット２１２には、第二端子１２２が挿通され、第三スリット２１３には、第三端子１２３が挿通される。
【００５９】
まず、第一スリット２１１、及び、第一スリット２１１に対応する第一接続端子２２１について詳細に説明する。図６の（ａ）などに示されるように、第一スリット２１１は、Ｘ軸−側の端部におけるスリット幅が他の部分よりも広い。これにより、第一スリット２１１のＸ軸−側の端部において、第一端子１２１の第一スリット２１１への挿通が可能となる。第一端子１２１は、第一スリット２１１に挿通された状態で取り付け方向（Ｘ軸＋側へ向かう方向）にスライドされると、折れ曲がった部分が本体部２１０の第一スリット２１１の縁となる部分に引っ掛かる。つまり、第一端子１２１が第一スリット２１１から抜けなくなる。これにより、照明器具用アダプタ１００及び引掛シーリングボディ２００が機械的に接続される。
【００６０】
図６の（ａ）に示されるように、第一端子１２１が、第一スリット２１１のＸ軸＋側の端部までスライドされると、第一接続端子２２１に電気的に接続される。第一接続端子２２１は、本体部２１０内に設けられた、第一端子１２１が電気的に接続される接続端子である。第一接続端子２２１は、板ばねなどの金属材料によって形成される。図６の（ｂ）に示されるように、第一接続端子２２１は、上下方向から第一端子１２１を挟持する構造を有する。
【００６１】
次に、第二スリット２１２、及び、第二スリット２１２に対応する第二接続端子２２２について詳細に説明する。第二スリット２１２は、Ｘ軸−側の端部におけるスリット幅が他の部分よりも広い。これにより、第二スリット２１２のＸ軸−側の端部において、第二端子１２２の第二スリット２１２への挿通が可能となる。第二端子１２２は、第二スリット２１２に挿通された状態で取り付け方向（Ｘ軸＋側へ向かう方向）にスライドされると、折れ曲がった部分が本体部２１０の第二スリット２１２の縁となる部分に引っ掛かる。つまり、第二端子１２２が第二スリット２１２から抜けなくなる。これにより、照明器具用アダプタ１００及び引掛シーリングボディ２００が機械的に接続される。
【００６２】
図６の（ａ）に示されるように、第二端子１２２が、第二スリット２１２のＸ軸＋側の端部までスライドされると、第二接続端子２２２に電気的に接続される。第二接続端子２２２は、本体部２１０内に設けられた、第二端子１２２が電気的に接続される接続端子である。第一接続端子２２１は、板ばねなどの金属材料によって形成される。図６の（ｂ）に示されるように、第二接続端子２２２は、上下方向（Ｚ軸方向）から第二端子１２２を挟持する構造を有する。
【００６３】
次に、第三スリット２１３、及び、第三スリット２１３に対応する第三接続端子２２３について詳細に説明する。図６の（ａ）などに示されるように、第三スリット２１３は、スリット幅がほぼ均一である。
【００６４】
第三スリット２１３に対応する第三接続端子２２３は、板ばねなどの金属材料によって形成され、左右方向（Ｙ軸方向）から第三端子１２３を挟持する構造を有する。また、第三接続端子２２３は、Ｘ軸方向における長さが第一接続端子２２１及び第二接続端子よりも長く、第三スリット２１３のＸ軸＋側の端部からＸ軸−側の端部まで延在している。つまり、平面視において、第三接続端子２２３に対応する第三スリット２１３のＸ軸−側の端部からの第三接続端子２２３までの距離は、ほぼ０であり、第一接続端子２２１に対応する第一スリット２１１のＸ軸−側の端部から第一接続端子２２１までの距離Ｌ１、及び、第二接続端子２２２に対応する第二スリット２１２のＸ軸−側の端部から第二接続端子２２２までの距離Ｌ２のいずれよりも短い。
【００６５】
これにより、第三端子１２３は、第三スリット２１３に挿通された直後から第三接続端子２２３に電気的に接続される。つまり、照明器具用アダプタ１００を引掛シーリングボディ２００に取り付ける際に、第三端子１２３が第一端子１２１及び第二端子１２２よりも先に引掛シーリングボディ２００内の第三接続端子２２３に電気的に接続されやすくなる。このため、照明器具用アダプタ１００を引掛シーリングボディ２００に取り付ける際の安全性を向上することができる。
【００６６】
ところで、図６の（ｂ）に示されるように、第三端子１２３の上部１２３ａのうち第一面１１１ａから突出した部分の長さは、第一端子１２１の上部１２１ａのうち第一面１１１ａから突出した部分の長さ、及び、第二端子１２２の上部１２２ａのうち第一面１１１ａから突出した部分の長さと実質的に同一である。ここでの長さは、より具体的には、Ｚ軸方向における長さである。この場合、本体部２１０内で、第三接続端子２２３を第一接続端子２２１及び第二接続端子２２２よりも下方に配置することで、第三端子１２３が第一端子１２１及び第二端子１２２よりも先に引掛シーリングボディ２００内の第三接続端子２２３に接続される構成を実現することもできる。また、これとは逆に、第三端子１２３を第一端子１２１及び第二端子１２２よりも引掛シーリングボディ２００側に突出させることで、第三端子１２３が第一端子１２１及び第二端子１２２よりも先に引掛シーリングボディ２００内の第三接続端子２２３に接続される構成を実現することもできる。
【００６７】
［第一端子、第二端子、及び、第三端子の配置］
照明器具用アダプタ１００においては、第一端子１２１、第二端子１２２、及び、第三端子１２３は、Ｙ軸方向に沿って直線上に並んでおり、第三端子１２３は、第一端子１２１、及び、第二端子１２２の間に位置しているが、このような端子の配置は一例である。図７は、第一端子１２１、第二端子１２２、及び、第三端子１２３の配置の別の例を示す平面図である。なお、図７では、引掛シーリングボディ２００の本体部２１０、第一スリット２１１、第二スリット２１２、及び、第三スリット２１３の配置についても破線で例示されている。
【００６８】
図７に示されるように、第一端子１２１、第二端子１２２、及び、第三端子１２３は、Ｙ軸方向及びＸ軸方向のいずれの方向とも交差する方向に沿う直線上に並んで配置されてもよい。つまり、第一端子１２１、第二端子１２２、及び、第三端子１２３は、斜めに並んでいてもよい。
【００６９】
また、図８は、第一端子１２１、第二端子１２２、及び、第三端子１２３の配置のさらに別の例を示す平面図である。図８に示されるように、第一端子１２１、第二端子１２２、及び、第三端子１２３は、一直線上に並んでいなくてもよい。図８の例では、第三端子１２３だけが他の端子よりもＸ軸方向＋側に配置されている。なお、図８では、引掛シーリングボディ２００の本体部２１０、第一スリット２１１、第二スリット２１２、及び、第三スリット２１３の配置についても破線で例示されている。
【００７０】
また、照明器具用アダプタ１００においては、第三端子１２３は、第一端子１２１、及び、第二端子１２２の間に位置している。つまり、第三端子１２３が３つの端子の真ん中に位置しているが、第一端子１２１が３つの端子の真ん中に位置してもよいし、第二端子１２２が３つの端子の真ん中に位置してもよい。
【００７１】
［変形例］
照明器具用アダプタ１００は、直方体状の筐体１１０を備えてもよい。図９は、このような変形例に係る照明器具用アダプタを上方から見た外観斜視図である。
【００７２】
図９に示される照明器具用アダプタ１００ａは、直方体状の筐体１１０ａを備える。また、引掛シーリングボディ２００ａも直方体状の本体部２１０ａを備える。
【００７３】
このように直方体状の筐体１１０ａを備える照明器具用アダプタ１００ａは、外観上、直方体状の本体部２１０ａを備える引掛シーリングボディ２００ａとの位置合わせが容易である。つまり、照明器具用アダプタ１００ａのユーザは、第一端子１２１、第二端子１２２、及び、第三端子１２３を本体部２１０ａに設けられたスリットに容易に挿通することができる。
【００７４】
［効果等］
以上説明したように、照明器具用アダプタ１００は、引掛シーリングボディ２００と照明器具３００の器具本体３１０とを接続するための照明器具用アダプタである。照明器具用アダプタ１００は、引掛シーリングボディ２００に対向する第一面１１１ａを有する筐体１１０と、第一面１１１ａに設けられた、給電用の第一端子１２１及び第二端子１２２、並びに、接地用の第三端子１２３とを備える。照明器具用アダプタ１００は、第一端子１２１、第二端子１２２、及び、第三端子１２３のそれぞれが引掛シーリングボディ２００に設けられた直線状に延伸するスリットに挿通された状態で、筐体１１０がスリットの延伸方向にスライドされることにより引掛シーリングボディ２００に取り付けられる。第一面１１１ａは、対向面の一例である。スリットの延伸方向は、上記実施の形態では、Ｘ軸方向である
このような照明器具用アダプタ１００のユーザは、照明器具用アダプタ１００を引掛シーリングボディ２００に対してまっすぐにスライドさせることで、容易に照明器具用アダプタ１００を引掛シーリングボディ２００に取り付けることができる。
【００７５】
また、例えば、第一端子１２１、第二端子１２２、及び、第三端子１２３は、直線上に並んで配置される。
【００７６】
このような照明器具用アダプタ１００のユーザは、第一端子１２１、第二端子１２２、及び、第三端子１２３をスリットに容易に挿通することができる。
【００７７】
また、例えば、第三端子１２３は、第一端子１２１、及び、第二端子１２２の間に位置する。
【００７８】
これにより、接地用の端子を３つの端子の真ん中に配置することができる。
【００７９】
また、例えば、第一端子１２１及び第二端子１２２は、引掛シーリングボディ２００側の端部がＬ字状に折れ曲がっている。
【００８０】
これにより、第一端子１２１及び第二端子１２２を照明器具用アダプタ１００と引掛シーリングボディ２００との機械的接続に利用することができる。
【００８１】
また、例えば、第三端子１２３は、引掛シーリングボディ２００側の端部がＬ字状に折れ曲がっている。
【００８２】
これにより、第一端子１２１及び第二端子１２２に加えて第三端子１２３を照明器具用アダプタ１００と引掛シーリングボディ２００との機械的接続に利用することができる。また、照明器具用アダプタ１００の引掛シーリングボディ２００への取り付け強度を向上することができる。
【００８３】
また、照明器具３００は、照明器具用アダプタ１００と、器具本体３１０とを備える。
【００８４】
このような照明器具３００のユーザは、照明器具用アダプタ１００を引掛シーリングボディ２００に対してまっすぐにスライドさせることで、容易に照明器具用アダプタ１００を引掛シーリングボディ２００に取り付けることができる。
【００８５】
また、引掛シーリングボディ２００は、照明器具３００の器具本体３１０を接続するための照明器具用アダプタ１００が取り付けられる引掛シーリングボディである。照明器具用アダプタ１００は、照明器具用アダプタ１００が備える、給電用の第一端子１２１及び第二端子１２２、及び、接地用の第三端子１２３のそれぞれが引掛シーリングボディ２００に設けられた直線状に延伸するスリットに挿通された状態で、スリットの延伸方向にスライドされることにより引掛シーリングボディ２００に取り付けられる。第一端子１２１、第二端子１２２、及び、第三端子１２３のそれぞれは、上記スライドによりスリットの一方の端部から他方の端部まで到達する。引掛シーリングボディ２００は、第一端子１２１、第二端子１２２、及び、第三端子１２３に対応する３つのスリットが設けられた本体部２１０と、本体部２１０内に設けられた、第一端子１２１が電気的に接続される第一接続端子２２１と、本体部２１０内に設けられた、第二端子１２２が電気的に接続される第二接続端子２２２と、本体部２１０内に設けられた、第三端子１２３が電気的に接続される第三接続端子２２３とを備える。平面視において、第三接続端子２２３に対応する第三スリット２１３のＸ軸−側の端部からの第三接続端子２２３までの距離は、第一接続端子２２１に対応する第一スリット２１１の一方の端部から第一接続端子２２１までの距離Ｌ１、及び、第二接続端子２２２に対応する第二スリット２１２の一方の端部から第二接続端子２２２までの距離Ｌ２のいずれよりも短い。上記実施の形態では、一方の端部は、Ｘ軸−側の端部であり、他方の端部は、Ｘ軸＋側の端部である。
【００８６】
これにより、照明器具用アダプタ１００を引掛シーリングボディ２００に取り付ける際に、第三端子１２３が第一端子１２１及び第二端子１２２よりも先に引掛シーリングボディ２００内の第三接続端子２２３に電気的に接続されやすくなる。このため、照明器具用アダプタ１００を引掛シーリングボディ２００に取り付ける際の安全性を向上することができる。
【００８７】
（その他の実施の形態）
以上、実施の形態について説明したが、本発明は、上記実施の形態に限定されるものではない。
【００８８】
例えば、上記実施の形態の照明器具用アダプタにおいては、第一レバーの第一被操作部及び第二レバーの第二被操作部の間隔が押し広げられることで第一係止部材及び第二係止部材が筐体内に押し込まれる構造を有する。しかしながら、照明器具用アダプタは、第一レバーの第一被操作部及び第二レバーの第二被操作部の間隔を押し狭めることで第一係止部材及び第二係止部材が筐体内に押し込まれる構造を有してもよい。
【００８９】
また、上記実施の形態で説明された照明器具は一例であり、照明器具の具体的態様については特に限定されない。照明器具は、照明器具用アダプタを用いて引掛シーリングボディに接続されるのであれば、どのような態様であってもよい。
【００９０】
また、引掛シーリングボディの具体的態様についても特に限定されない。引掛シーリングボディとしては、丸型フル引掛シーリング、フル引掛ローゼット、丸型引掛シーリング、角型引掛シーリング、引掛埋込ローゼット、及び、引掛露出ローゼットなどが用いられる。
【００９１】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【００９２】
例えば、本発明は、上記実施の形態に係る引掛シーリングボディとして実現されてもよい。また、上記実施の形態に係る照明器具用アダプタ、及び、上記実施の形態に係る引掛シーリングボディを備える照明器具用アダプタセットとして実現されてもよい。
【符号の説明】
【００９３】
１００、１００ａ  照明器具用アダプタ
１１０、１１０ａ  筐体
１１１  本体部
１１１ａ  第一面（対向面）
１２１  第一端子
１２１ａ、１２２ａ、１２３ａ  上部
１２１ｂ、１２２ｂ、１２３ｂ  下部
１２２  第二端子
１２３  第三端子
２００、２００ａ  引掛シーリングボディ
２１０、２１０ａ  本体部
２１１  第一スリット
２１２  第二スリット
２１３  第三スリット
２２１  第一接続端子
２２２  第二接続端子
２２３  第三接続端子
３００  照明器具
３１０  器具本体
【図１】
2020087662.tif 000003
【図２】
2020087662.tif 000004
【図３】
2020087662.tif 000005
【図４】
2020087662.tif 000006
【図５】
2020087662.tif 000007
【図６】
2020087662.tif 000008
【図７】
2020087662.tif 000009
【図８】
2020087662.tif 000010
【図９】
2020087662.tif 000011